(57)【要約】【課題】光ファイバテープ心線１において十分な耐水性及十分な単心分離性のを両立させる。【解決手段】複数本の光ファイバ心線２を並べてテープ材３によりテープ状に一体化してなる光ファイバテープ心線１において、テープ材３の破断伸びが３０％以上になるように構成した。【選択図】　　　図１
2004020651.tif 000002
【特許請求の範囲】
【請求項１】
複数本の光ファイバ心線を並べてテープ材によりテープ状に一体化してなる光ファイバテープ心線において、
前記テープ材の破断伸びが３０％以上になるように構成したことを特徴とする光ファイバテープ心線。
【請求項２】
各光ファイバ心線の外周部に着色層をそれぞれ備えてなることを特徴とする請求項１に記載の光ファイバテープ心線。
【請求項３】
十分な耐水性を有するように前記光ファイバ心線と前記テープ材の間の密着力を大きくしてなることを特徴とする請求項１又は請求項２に記載の光ファイバテープ心線。
【発明の詳細な説明】
【０００１】
【発明の属する技術分野】
本発明は、テープ状の光ファイバテープ心線に係わるものであって、特に、単心分離性及び耐水性を両立させる光ファイバテープ心線に関する。
【０００２】
【従来の技術】
複数本の光ファイバ心線を並べてテープ材によりテープ状に一体化してなる光ファイバテープ心線は光ファイバケーブル等において広く用いられている。また、前記光ファイバテープ心線の有効活用等のために、前記テープ材を前記複数本の光ファイバ心線から剥がして前記光ファイバテープ心線から複数本の光ファイバ心線に分離することがよく知られている。ここで、前記光ファイバテープ心線から前記複数本の光ファイバ心線に分離することを単心分離といい、更にその単心分離の容易性を単心分離性という。そして、従来から、前記光ファイバテープ心線の単心分離性を高めるため、前記テープ材と前記光ファイバ心線との間の密着力を小さくして前記テープ材を前記光ファイバ心線から剥がれやすくしていた。
【０００３】
【発明が解決しようとする課題】
ところで、前記テープ材と前記光ファイバ心線との密着力が小さいと、前記テープ材が前記光ファイバ心線から剥がれ易くなって前記光ファイバテープ心線の単心分離性は高くなる一方、前記光ファイバ心線と前記テープ材との結合状態が不安定になって前記光ファイバテープ心線の機械強度が低下すると共に、前記テープ材と前記光ファイバ心線との間に水が侵入可能な状態になって前記光ファイバテープ心線の耐水性（特に耐温水性）が低下する。なお、十分な機械強度を得るための前記テープ材と前記光ファイバ心線との間の密着力は、十分な耐水性を得るための前記テープ材と前記光ファイバ心線との間の密着力よりも小さくて足りる。
【０００４】
反対に、前記光ファイバテープ心線が十分な機械強度の他に十分な耐水性を有するように前記テープ材と前記光ファイバ心線との間の密着力をある程度大きくすると、前記テープ材が前記光ファイバ心線から剥がれ難くなって、前記光ファイバテープ心線の単心分離性が低下してしまう。即ち、前記テープ材を前記光ファイバ心線から剥がそうとすると、前記テープ材が前記光ファイバテープ心線から剥がれる前に、前記テープ材が破断して、破断による前記テープ材の残片が前記光ファイバ心線の外周面に密着した状態で残って、前記光ファイバテープ心線を単心分離することができなくなる。
【０００５】
そこで、本発明は、十分な耐水性及び十分な単心分離性を両立させる光ファイバテープ心線を提供することを目的とする。
【０００６】
【課題を解決するための手段】
請求項１に記載の発明にあっては、複数本の光ファイバ心線を並べてテープ材によりテープ状に一体化してなる光ファイバテープ心線において、
前記テープ材の破断伸びが３０％以上になるように構成したことを特徴とする。
【０００７】
請求項１に記載の発明特定事項によると、前記テープ材の破断伸びが３０％以上になるように構成したことにより、前記テープ材を前記光ファイバ心線から剥がす方向へ引張った場合に、引張応力による伸びによって破断するとき前記テープ材の伸び率が大きくなる。
【０００８】
請求項２に記載の発明にあっては、請求項１に記載の発明特定事項の他に、各光ファイバ心線の外周部に着色層をそれぞれ備えてなることを特徴とする。
【０００９】
請求項２に記載の発明特定事項によると、請求項１に記載の発明特定事項による作用を奏する他に、各光ファイバ心線における前記着色層の色を適宜に変えることによって、前記複数本の光ファイバ心線を識別することができる。
【００１０】
請求項３に記載の発明にあっては、請求項１又は請求項２に記載の発明特定事項の他に、十分な耐水性を有するように前記光ファイバ心線と前記テープ材の間の密着力を大きくしてなることを特徴とする。
【００１１】
請求項３に記載の発明特定事項によると、請求項１又は請求項２に記載の発明特定事項による作用と同様の作用を奏する。
【００１２】
【発明の実施の形態】
以下、本発明の実施の形態について図面及び表を参照して説明する。
【００１３】
図１は、本発明の実施の形態に係わる光ファイバテープ心線の断面図であって、表１は、テープ材の破断伸びと単心分離性との関係を示す実験データ表である。
【００１４】
図１に示すように、本発明の実施の形態に係わる光ファイバテープ心線１は、光ファイバケーブル（図示省略）等に用いられるものであって、複数本（本発明の実施の形態にあっては４本）の光ファイバ心線２を備えている。そして、光ファイバテープ心線１は、複数本の光ファイバ心線２を並べて、テープ材３によりテープ状に一体化してある。
【００１５】
各光ファイバテープ心線２は、光ファイバ裸線４と、この光ファイバ裸線４の外周部に被覆した一次被覆層５と、この一次被覆層５の外周部に被覆した着色層６とをそれぞれ備えている。ここで、着色層６は着色剤を含有する例えば紫外線硬化型樹脂からなるものである。
【００１６】
また、テープ材３は例えば紫外線硬化型樹脂からなるものであって、テープ材３の破断伸びが３０％以上、（より具体的には３０％以上から５０％以下）になるように構成してある。
【００１７】
更に、光ファイバテープ心線２が十分な機械強度の他に十分な耐水性を有するように、光ファイバ心線２おける着色層６とテープ材３の間の密着力を大きくしてある。なお、十分な機械強度を得るための光ファイバ心線２における着色層６とテープ材３との間の密着力は、十分な耐水性を得るための光ファイバ心線２における着色層６とテープ材３との間の密着力よりも小さくて足りる。
【００１８】
次に、本発明の実施の形態の作用について説明する。
【００１９】
テープ材３の破断伸びが３０％以上になるように構成したことにより、引張応力によって破断するときテープ材３の伸び率が大きくなる。
【００２０】
また、各光ファイバ心線２における着色層６の色を適宜に変えることによって、複数本の光ファイバ心線３を識別することができる。
【００２１】
以上の如き、本発明の実施の形態によれば、引張応力によって破断するときテープ材３の伸び率が大きくなるため、十分な耐水性を有するように光ファイバ心線２における着色層６とテープ材３の間の密着力を大きくしても、テープ材３を光ファイバ心線２における着色層６から剥がす方向へ引張った場合に、テープ材３は前記剥がす方向へ十分に伸びて、テープ材３が引張りによって破断する前に、テープ材３が光ファイバ心線２における着色層６から剥がれることが多くなる。これによって、光ファイバテープ心線１において十分な耐水性及十分な単心分性を両立させることができる。
【００２２】
ここで、表１に示すように、テープ材３の破断伸びを変更して光ファイバテープ心線１の単心分離性を実験的に検証すると、テープ材３の破断伸びが３０％以上になると光ファイバテープ心線２の単心分離性が良好になることが確認された。
【００２３】
【表１】
2004020651.tif 000003
なお、本発明は、前述の発明の実施の形態の説明に限るものではなく、光ファイバテープ心線１における光ファイバ心線２の本数を変える等、適宜の変更を行うことにより、その他種々の態様で実施可能である。
【００２４】
【発明の効果】
請求項１から請求項３のうちのいずれかの請求項に記載の発明によれば、引張応力によって破断するとき前記テープ材の伸び率が大きくなるため、十分な耐水性を有するように前記光ファイバ心線と前記テープ材の間の密着力を大きくしても、前記テープ材を前記光ファイバ心線から剥がす方向へ引張った場合に、前記テープ材は前記剥がす方向へ十分に伸びて、前記テープ材が引張りによって破断する前に、前記テープ材が前記光ファイバ心線から剥がれることが多くなる。これによって、前記光ファイバテープ心線において十分な耐水性及十分な単心分離性を両立させることができる。
【図面の簡単な説明】
【図１】本発明の実施の形態に係わる光ファイバテープ心線の断面図である。
【符号の説明】
１　光ファイバテープ心線
２　光ファイバ心線
３　テープ材
４　光ファイバ裸線
５　一次被覆層
６　着色層
【図１】
2004020651.tif 000004